(57)【要約】      （修正有）【課題】アスベスト入りペフの撤去方法は長期にわたり色々なものが、あるわけではなく近年始まったばかり分野であるため安全性等々は、完全に確保されたものではないことが、これからの課題であり、改修工事を行うことにより  工事期間の短縮化が図れ、さらにコスト面でも従来必要であった工種カットが出来、コストそぎ取りが、可能にする。工事作業員の安全も向上する。【解決手段】アスベスト入りペフにさわらない工法であるため  空気環境の測定が、鍵となる。したがって、空気測定は、撤去時と同じ測定方法・回数を行うアスベスト入りペフの撤去時期を遅らすことにより最終処分の廃棄時間の円滑処理時間を作り出す工法。【選択図】なし【特許請求の範囲】
【請求項１】
１．固定金物が、可動式であること
【請求項２】
１．金物自体を上下で接着剤にて固定する工法であること
【請求項３】
１．仮固定をクリップで行い次の工程に移れるもの
【請求項４】
１．落下防止パネルが、可動式であること
【請求項５】
１．機械金物で全ての工法支点を取っているもの
【請求項６】
１．吹き付け材料が、防水効果を持つもの
【請求項７】
１．金物ベースに穴があり固定能力があるもの
【請求項８】
１．施工面全体が、本工法完了時において一体化するもの
【発明の詳細な説明】
【発明の詳細な説明】
【産業上の利用分野】
【０００１】  本発明は、アスベスト入りペフの撤去時期を遅らすことにより最終処分の廃棄時間の円滑処理時間を作り出す工法である。
【背景の技術】
【０００２】  現状撤去工法は、数多く存在する  しかし  一度に撤去を行えば、各自治体の認可した最終処分場は、受け入れ出来なくなる
現状で剥離し、アスベストが、飛散する時間が、迫っている物件も数多く存在する。
【開発の技術】
【０００３】  本工法で改修工事を行うことにより  工事期間の短縮化が図れる  さらにコスト面でも従来必要であった工種カットが出来  コストそぎ取りが、可能になる。
工事作業員の安全も向上する。
地震等により破損は、弾性皮膜である防水皮膜使用であるためしにくくもし破損した場合も補修方法は、防水部分補修と同様の補修でよい
【発明の効果】
【０００４】  工事完了時には、空気の層も完成することから保温効果もある。
仕上げ材のカラーバリエーションが、豊富なことから室内の模様替えも同時に行うことが、出来る。
つまり生産に  おおじた天井色が得られることになる
【発明を実施するための最良の形態】
【０００５】１．システム倉庫
２．食品生産工場
３．集会場
４．生産工場
５．物流倉庫
上記に記載したものは、閉鎖期間を短縮し、再開時には、過大な設備投資を必要としないことが、望ましい物件です。
屋根を撤去し、アスベストの付着したものを運搬するのですから通常考える撤去とは、比べ物にならないくらいの安全とコストが、要求されます。
ですから本工法が、実施されることが最良だと思います。
【実施例１】
【０００６】  屋根は現状のまま
屋根に関する部分は、一切触れずに工事を完了させます
屋根があるのですから既設の設備は、そのまま若しくは、最小の撤去移動で工事は、完了します。
【実施例２】
【０００７】  ペフはそのまま
ペフの撤去は、施工項目に存在しません
ですから工事に携わる作業員の安全は、アスベスト工事において最良の環境下で工事が、完了します。
【実施例３】
【０００８】  アスベストの廃棄
アスベストの含まれる部材は、撤去しないのですから、アスベストの廃棄処分は、ありません
【産業上の利用可能性】
【０００９】  アスベストを含んだあらゆるものが、商品化され建築資材とし、流通していた事実は、明らかな今数年で全て廃棄するのは、不可のです。
ましてや屋根材を張り替えるのは、企業にとって命取りになる可能性を含みます。
その工場の生産性は、ゼロ巻教条の養生コスト、工事の内容に対する近隣住民への説明・従業員への説明  工事コスト  廃棄コスト  設備工事費  といったリスクを踏まえて撤去工事が、始まります。
どんな優良企業でも避けたい金額・イメージダウンのリスクなのです。
撤去しなくていいとは、思いませんが、撤去時期をずらし、円滑な処理が、確立した時点・コストを補う処置案を確立し、工事に着手する時間を作る工法なのです。
早急に従業員・輸送に携わる会社・販売にかかわる会社の安全を確立することが、重要視される現状において、この工法は、最も現実味を帯びた工法であると思います。
〔設計図書説明〕
１．固定器具の取り付けを行う
２．落下防止金物を取り付ける
３．接着剤の硬化後上部硝子クロスを張りを行う
４．Ｉ型鋼材廻りの硝子クロス張りを行う
５．防水材下吹きを行なう
６．防水材中吹きを行なう
７．防水材上吹きを行なう
８．仕上げ材の吹き付けを行う
９．アスベスト飛散状況空気測定を行う
図面左上記載断面図の説明
＊  固定器具の詳細説明は、左
接着剤固定を行い底部のみクリップ固定する。（使用接着剤は、エポキシ系）
＊  落下防止パネルの詳細説明は、右
上部数値は、基本数値  中心空洞部によりスライドし、両端数値まで伸縮する
2009046957.tif 000002
【手続補正書】
【提出日】平成19年10月23日(2007.10.23)
【手続補正１】
【補正対象書類名】明細書
【補正対象項目名】全文
【補正方法】変更
【補正の内容】
【発明の詳細な説明】
【発明の詳細な説明】
【産業上の利用分野】
【０００１】  本発明は、アスベスト入りペフの撤去時期を遅らすことにより最終処分の廃棄時間の円滑処理時間を作り出す工法である。
【背景の技術】
【０００２】  現状撤去工法は、数多く存在する  しかし  一度に撤去を行えば、各自治体の認可した最終処分場は、受け入れ出来なくなる
現状で剥離し、アスベストが、飛散する時間が、迫っている物件も数多く存在する。
【開発の技術】
【０００３】  本工法で改修工事を行うことにより  工事期間の短縮化が図れる  さらにコスト面でも従来必要であった工種カットが出来  コストそぎ取りが、可能になる。
工事作業員の安全も向上する。
地震等により破損は、弾性皮膜である防水皮膜使用であるためしにくくもし破損した場合も補修方法は、防水部分補修と同様の補修でよい
【発明の効果】
【０００４】  工事完了時には、空気の層も完成することから保温効果もある。
仕上げ材のカラーバリエーションが、豊富なことから室内の模様替えも同時に行うことが、出来る。
つまり生産に  おおじた天井色が得られることになる
【発明を実施するための最良の形態】
【０００５】１．システム倉庫
２．食品生産工場
３．集会場
４．生産工場
５．物流倉庫
上記に記載したものは、閉鎖期間を短縮し、再開時には、過大な設備投資を必要としないことが、望ましい物件です。
屋根を撤去し、アスベストの付着したものを運搬するのですから通常考える撤去とは、比べ物にならないくらいの安全とコストが、要求されます。
ですから本工法が、実施されることが最良だと思います。
【実施例１】
【０００６】  屋根は現状のまま
屋根に関する部分は、一切触れずに工事を完了させます
屋根があるのですから既設の設備は、そのまま若しくは、最小の撤去移動で工事は、完了します。
【実施例２】
【０００７】  ペフはそのまま
ペフの撤去は、施工項目に存在しません
ですから工事に携わる作業員の安全は、アスベスト工事において最良の環境下で工事が、完了します。
【実施例３】
【０００８】  アスベストの廃棄
アスベストの含まれる部材は、撤去しないのですから、アスベストの廃棄処分は、ありません
【産業上の利用可能性】
【０００９】  アスベストを含んだあらゆるものが、商品化され建築資材とし、流通していた事実は、明らかな今数年で全て廃棄するのは、不可のです。
ましてや屋根材を張り替えるのは、企業にとって命取りになる可能性を含みます。
その工場の生産性は、ゼロ巻教条の養生コスト、工事の内容に対する近隣住民への説明・従業員への説明  工事コスト  廃棄コスト  設備工事費  といったリスクを踏まえて撤去工事が、始まります。
どんな優良企業でも避けたい金額・イメージダウンのリスクなのです。
撤去しなくていいとは、思いませんが、撤去時期をずらし、円滑な処理が、確立した時点・コストを補う処置案を確立し、工事に着手する時間を作る工法なのです。
早急に従業員・輸送に携わる会社・販売にかかわる会社の安全を確立することが、重要視される現状において、この工法は、最も現実味を帯びた工法であると思います。
【図面の簡単な説明】
【００１０】
【図１】１．固定器具の取り付けを行う  ２．落下防止金物を取り付ける  ３．接着剤の硬化後上部硝子クロスを張りを行う  ４．Ｉ型鋼材廻りの硝子クロス張りを行う  ５．防水材下吹きを行なう  ６．防水材中吹きを行なう  ７．防水材上吹きを行なう  ８．仕上げ材の吹き付けを行う  ９．アスベスト飛散状況空気測定を行う  図面左上記載断面図の説明  ＊  固定器具の詳細説明は、左  接着剤固定を行い底部のみクリップ固定する。（使用接着剤は、エポキシ系）  ＊  落下防止パネルの詳細説明は、右  上部数値は、基本数値  中心空洞部によりスライドし、両端数値まで伸縮する
【手続補正２】
【補正対象書類名】図面
【補正対象項目名】全図
【補正方法】変更
【補正の内容】
【図１】
2009046957.tif 000003